(57)【要約】【課題】  両面ディスプレイに表示する誘導情報を容易に設定することができるとともに、正面と背面のそれぞれの表示面に目的地との位置関係に基づいて最適な誘導情報を表示して誘導効率を向上することを目的とする。【解決手段】  本発明は、正面と背面の表示面に誘導情報を表示して目的地へ誘導する両面ディスプレイであって、該両面ディスプレイが設置された位置と表示面の方向を検知するセンサを備え、正面と背面のそれぞれの表示面に目的地との位置関係に基づいた誘導情報を表示することを特徴とする。【選択図】  図１
2014215662.tif 000002
【特許請求の範囲】
【請求項１】
正面と背面の表示面に誘導情報を表示して目的地へ誘導する両面ディスプレイであって、
該両面ディスプレイが設置された位置と前記表示面の方向を検知するセンサを備え、
前記正面と背面のそれぞれの表示面に前記目的地との位置関係に基づいた誘導情報を表示することを特徴とする両面ディスプレイ。
【請求項２】
請求項１に記載の両面ディスプレイを用いた誘導システムであって、
前記両面ディスプレイは、他の両面ディスプレイと通信を行う通信手段を備え、
複数の両面ディスプレイを連動させて誘導することを特徴とする両面ディスプレイを用いた誘導システム。
【請求項３】
複数の目的地を有し、
前記目的地の優先度に応じて前記誘導情報を決定または変更することを特徴とする請求項２記載の両面ディスプレイを用いた誘導システム。
【請求項４】
通常時の目的地と、非常時の目的地を有し、
非常時には優先的に前記非常時の目的地に変更して誘導を行うことを特徴とする請求項２に記載の両面ディスプレイを用いた誘導システム。
【請求項５】
前記両面ディスプレイと前記目的地の距離に応じて前記誘導情報の一部または全体を変更することを特徴とする請求項３または４に記載の両面ディスプレイを用いた誘導システム。
【発明の詳細な説明】
【技術分野】
【０００１】
本発明は、所定の目的地へ誘導するための両面ディスプレイおよび両面ディスプレイを用いた誘導システムに関する。
【背景技術】
【０００２】
従来、通常時には広告やエレベータ等の方向表示を行い、停電や火災、地震等の非常時には避難誘導方向を表示する誘導システムがある。例えば、特許文献１は、避難誘導表示及びその他の表示という複数の表示を行う表示部と、商用電源と、非常用電源と、表示部での表示内容を制御する制御部とを有する誘導灯を開示している。
【０００３】
特許文献１の誘導灯は、表示部では、通常時には避難誘導表示と他の表示を適宜切り替えて行い、非常時には避難誘導表示を優先的に行うようにすることで、通常時の誘導方向の表示による学習効果が期待され、限られたスペースで避難誘導以外の有用な表示も行うことができる。
【先行技術文献】
【特許文献】
【０００４】
【特許文献１】特開平１１−２７２９６０号公報
【発明の概要】
【発明が解決しようとする課題】
【０００５】
しかしながら、特許文献１は、誘導灯の設置場所に合わせて誘導方向等の表示内容を用意しなければならず、誘導灯の設置場所を変更すると表示内容が合わなくなり使用できないため、誘導灯の使い勝手が悪いという問題があった。
【０００６】
本発明は、上記の問題点に鑑みてなされたものであり、両面ディスプレイに表示する誘導情報を容易に設定することができるとともに、正面と背面のそれぞれの表示面に目的地との位置関係に基づいて最適な誘導情報を表示して誘導効率を向上することを目的とする。
【課題を解決するための手段】
【０００７】
本発明は、正面と背面の表示面に誘導情報を表示して目的地へ誘導する両面ディスプレイであって、該両面ディスプレイが設置された位置と表示面の方向を検知するセンサを備え、正面と背面のそれぞれの表示面に目的地との位置関係に基づいた誘導情報を表示することを特徴とする。
【０００８】
また、両面ディスプレイは、他の両面ディスプレイと通信を行う通信手段を備え、複数の両面ディスプレイを連動させて誘導することを特徴とする。
【０００９】
また、複数の目的地を有し、目的地の優先度に応じて誘導情報を決定または変更することを特徴とする。
【００１０】
また、通常時の目的地と、非常時の目的地を有し、非常時には優先的に非常時の目的地に変更して誘導を行うことを特徴とする。
【００１１】
また、両面ディスプレイと目的地の距離に応じて誘導情報の一部または全体を変更することを特徴とする。
【発明の効果】
【００１２】
本発明の両面ディスプレイを用いた誘導システムによれば、両面ディスプレイに表示する誘導情報を容易に設定することができるとともに、正面と背面のそれぞれの表示面に目的地との位置関係に基づいて最適な誘導情報を表示して誘導効率を向上することができる。
【図面の簡単な説明】
【００１３】
【図１】実施形態１に係る誘導システムの概要図である。
【図２】誘導システムで用いる両面ディスプレイの斜視図である。
【図３】誘導情報の表示パターンの一例である。
【図４】誘導システムの全体の概要を示す処理フロー図である。
【図５】通常時の誘導情報の生成方法を示す処理フロー図である。
【図６】非常時の誘導情報の生成方法を示す処理フロー図である。
【図７】実施形態２に係る誘導システムの処理フロー図である。
【図８】複数の店舗の位置情報を示す図である。
【図９】店舗の優先度を設定する優先度設定シートである。
【発明を実施するための形態】
【００１４】
以下、図面を用いて本発明の実施形態を説明する。なお、図面や以下の記述中で示す内容は例示であって、本発明の範囲は、図面や以下の記述中で示すものに限定されない。また、本発明の図面において、同一の参照符号は、同一部分または相当部分を表わすものとする。
【００１５】
（実施形態１）
まず、図１を用いて、本発明の実施形態１に係る両面ディスプレイ１０を用いた誘導システムの概要について説明する。図１は、複数の店舗または売場が存在するようなショッピングモール、デパート、地下街等の施設の平面配置図を示している。なお、ここでは１フロアのみを表示しているが、複数のフロアからなる施設であってもよい。
【００１６】
本発明の両面ディスプレイ１０を用いた誘導システムは、図１に示すように、施設内の通行路３０の適所に両面ディスプレイ１０を配置し、後述する両面ディスプレイ１０のＡ面とＢ面に、所定の目的地４０との位置関係に対応した誘導情報２０を表示することにより、目的地４０への誘導効率を向上した誘導システムである。
【００１７】
図２は、本発明の誘導システムに用いる両面ディスプレイ１０の斜視図である。両面ディスプレイ１０は、箱状体の筐体１と、筐体１の正面および背面に表示面が配置された第１表示部２及び第２表示部３と、回路基板４を備える。
【００１８】
第１表示部２及び第２表示部３は、施設内の通行者を目的地４０に誘導するための誘導情報２０を表示する部分であり、本実施形態では、ＴＦＴ（Thin Film Transistor）基板とＣＦ（Color Filter）基板との間に液晶を封入して構成される液晶表示パネルによって実現されているものとするが、その他の方式の表示パネルを用いてもよい。
【００１９】
以下では、第１表示部２の表示面と第２表示部３の表示面のうち、目的地の方向を進行方向として正対する表示面をＡ面と呼び、進行方向と逆向きになる表示面をＢ面と呼ぶ。本発明の誘導システムは、図１に示すように、通行路３０に対して両面ディスプレイ１０が、Ａ面とＢ面が往来する通行者と対向するように設置されている。
【００２０】
両面ディスプレイ１０は、筐体１内に誘導情報２０を生成するための回路基板４を備え、回路基板４には、ＧＰＳ（Global Positioning System）等の位置センサ５、電子コンパス等の方位センサ６、外部機器や他の両面ディスプレイ１０との通信を可能する通信部７、各種データを記憶するメモリ８、システム全体を制御する制御部９が設けられている。
【００２１】
図３は、両面ディスプレイ１０のＡ面またはＢ面に表示する誘導情報２０の表示パターンを示したものである。本発明の両面ディスプレイ１０を用いた誘導システムでは、通常時と非常時では誘導する目的地４０が異なるため、いくつかの誘導情報２０の表示パターンが用意されている。
【００２２】
図３において、（ａ）は通常時に表示するＡ面の表示パターンであり、（ｂ）は通常時のＢ面の表示パターンである。また、（ｃ）は非常時に表示するＡ面の表示パターンであり、（ｄ）は非常時のＢ面の表示パターンである。各表示パターンは、いくつかの表示領域から構成されている。
【００２３】
図３（ａ）、（ｂ）に示すように、通常時には、施設内の店舗等を目的地４０に設定し、表示パターンの表示領域Ａには店舗の商品情報の映像を表示して、表示領域Ｂには店舗名と店舗の方向や距離を示す位置情報を表示する。例えば、両面ディスプレイ１０のＡ面とＢ面を用いて１つの店舗に誘導する場合は、Ａ面とＢ面の表示領域Ａには同じ映像を表示するが、Ａ面とＢ面の表示領域Ｂではそれぞれの誘導方向が反対になるように表示する。
【００２４】
また、図３（ｃ）、（ｄ）に示すように、火災等の非常時には、非常口や避難場所を目的地４０に設定し、表示領域Ａには非常事態を示すメッセージを表示して、表示領域Ｂには非常口の方向や距離を示す位置情報を表示する。
【００２５】
なお、本発明の両面ディスプレイ１０を用いた誘導システムでは、通常時に店舗等へ誘導している場合であっても、非常事態が生じると直ちに目的地４０を非常口に変更して、避難誘導を優先的に行うようになっている。
【００２６】
上記のように、誘導情報２０を所定の表示パターンの表示領域Ａと表示領域Ｂに分けて表示することにより、各種情報の位置が固定され通行者に見やすく表示できるとともに、一部の情報のみを変更するだけで簡易に誘導情報２０を生成することが可能となる。
【００２７】
例えば、複数の両面ディスプレイ１０において、設置位置に応じて表示領域Ｂの距離表示の部分だけを変更するだけ誘導情報２０を生成することができ、誘導情報２０に従って移動する通行者は距離表示が変化して確実に目的地に近づいていることを確認できるので、誘導効率を向上することができる。
【００２８】
また、誘導する目的地４０が店舗の場合、一定時間毎に表示領域Ａの店舗の広告映像を次々変更して表示することにより、店舗に関する多くの情報を提供することができる。
【００２９】
図４は、本発明の誘導システムの全体の概要を示す処理フロー図である。
【００３０】
まず、ステップＳ１において、誘導情報２０を生成するために必要となる施設情報として、施設の地図情報、目的地４０となる店舗の位置情報や優先度、非常口の位置情報等を取得してメモリ８に記憶する。これらの施設情報は、外部のサーバと通信して取得してもよいし、ＵＳＢメモリやＤＶＤ−ＲＯＭ等に登録したものを用いて取得してもよい。
【００３１】
次に、ステップ２において、両面ディスプレイ１０が設置されている位置と、Ａ面およびＢ面の向きを設置情報として取得する。ここでは、両面ディスプレイ１０の回路基板４に設けた位置センサ５、方位センサ６を用いて位置と方向を検知している。
【００３２】
なお、上記のステップ１とステップ２は、誘導システムを起動した最初に初期化工程として実行するものであり、店舗や非常口等の施設情報や両面ディスプレイ１０の設置情報に変更がない場合は繰り返し実行する必要はない。
【００３３】
ステップ３において、火災や地震等の緊急情報の有無を確認する。緊急情報は、通信部７により施設内の災害検知システム等と通信を行って、災害検知システムから発せられる緊急情報を受信する。緊急情報がない場合は、ステップ４に移行して通常時の誘導情報２０を生成する。また、緊急情報があった場合は、直ちにステップ５に移行して非常時の誘導情報２０を生成する。上記のステップ４とステップ５の誘導情報２０の生成方法の詳細については後述する。
【００３４】
ステップ６において、図３に示したように、両面ディスプレイ１０のＡ面とＢ面に、それぞれ目的地４０との位置関係に対応した誘導情報２０を表示する。以降、ステップ３に戻り、再び緊急情報の確認を行い、緊急情報がなければ店舗への誘導を継続する。
【００３５】
上記のように、本発明の両面ディスプレイ１０を用いた誘導システムでは、店舗等へ誘導している通常時において、非常事態が生じると直ちに目的地４０を非常口に変更して、避難誘導を優先的に行うことが可能である。
【００３６】
次に、図５に示す処理フロー図を用いて、上記ステップ４における通常時の誘導情報２０の生成について詳細に説明する。
【００３７】
緊急情報が発信されていない通常時の目的地４０は、例えば、一定時間毎に所定の店舗を自動的に設定することや、所定の店舗を指定して手動で設定することが可能となっている。図５の処理フローでは、ステップ４１で時間を確認した後、ステップ４２においてメモリ８の登録店舗から時間に応じた店舗を抽出して設定している。または、ステップ４１を省略して、ステップ４２において所定の店舗を指定して設定することも可能となっている。
【００３８】
ステップ４３において、設定した店舗までのルートと距離を算出する。ここでは、施設の地図情報に対して、店舗の位置情報と両面ディスプレイ１０の設置情報を照合することにより、店舗までのルートと距離を算出することができる。
【００３９】
ステップ４４において、上記ルートから店舗の方向が分かるので、両面ディスプレイ１０のどちらの表示面がＡ面（進行方向）でありＢ面（逆方向）となっているか判断する。
【００４０】
ステップ４５において、両面ディスプレイのＡ面とＢ面のそれぞれに表示する誘導情報２０を生成する。ここでは、メモリ８に登録された通常表示パターンからＡ面とＢ面に適した表示パターンを取得して、表示領域Ａに表示する店舗の映像や表示領域Ｂに表示する店舗の方向・距離などを書き換える。
【００４１】
以上により、通常時の誘導情報２０を生成することができる。
【００４２】
続いて、図６に示す処理フロー図を用いて、上記ステップ５における非常時の誘導情報２０の生成について詳細に説明する。
【００４３】
緊急情報を受信して非常時と判断すると、ステップ５１において、両面ディスプレイ１０の設置位置から施設内の各非常口までのルートと距離を算出する。ここでは、施設の地図情報に対して、各非常口の位置情報と両面ディスプレイ１０の設置情報を照合することにより、各非常口までのルートと距離を算出することができる。
【００４４】
ステップ５２において、両面ディスプレイ１０から最短距離にある非常口を目的地４０として設定する。
【００４５】
ステップ５３において、上記ルートから非常口の方向が分かるので、両面ディスプレイ１０のどちらの表示面がＡ面（進行方向）でありＢ面（逆方向）となっているか判断する。
【００４６】
ステップ５４において、両面ディスプレイのＡ面とＢ面のそれぞれに表示する誘導情報２０を生成する。ここでは、メモリ８に登録された非常表示パターンからＡ面とＢ面に適した表示パターンが取得して、表示領域Ａに表示する非常時のメッセージや表示領域Ｂに表示する非常口の方向・距離などを書き換える。これにより、両面ディスプレイ１０の誘導情報２０を確認した通行者は、その位置から最も近い非常口へ安全に避難することができる。
【００４７】
上記のように、本発明の両面ディスプレイ１０を用いた誘導システムでは、両面ディスプレイ１０のＡ面とＢ面を自動的に判断し、それぞれの表示面に目的地４０との位置関係に対応した誘導情報２０を容易に生成することができる。このため、目的地４０に対して両面ディスプレイ１０のＡ面・Ｂ面の方向を合わせたり、表示コンテンツをＡ面・Ｂ面に合わせて用意する必要がなく、両面ディスプレイ１０の初期設置や設置場所の変更を容易に行うことができる。
【００４８】
また、他の両面ディスプレイ１０と通信して連動させることにより、複数の両面ディスプレイ１０の誘導情報２０を一括して変更することが可能であり、誘導情報２０の設定間違いもなくすことができる。
【００４９】
また、両面ディスプレイ１０のＡ面とＢ面に目的地４０との位置関係に応じた誘導情報２０を表示することにより、通行路３０を往来する通行者は、両面ディスプレイ１０のＡ面またはＢ面をいずれの方向から見ても、目的地４０の概要（店舗、非常口）と位置（方向、距離）を確認することができるため、進行方向に関係なく目的地４０に誘導することができる。
【００５０】
（実施形態２）
実施形態２の誘導システムは、複数の目的地４０へ同時に誘導することを可能にするものである。実施形態１の誘導システムと異なるのは、ステップ４またはステップ５の誘導情報２０の生成方法であり、他は実施形態１と同様の構成とすることができるため、同じ参照符号を付記することにより重複する説明を省略する。
【００５１】
実施形態２の誘導システムでは、両面ディスプレイ１０と目的地４０の位置関係により、両面ディスプレイ１０毎に複数の目的地４０に対して優先度を設定して、両面ディスプレイ１０毎に優先度の高い目的地４０を設定することを特徴としている。
【００５２】
図７は、実施形態２の誘導システムにおいて、通常時の誘導情報２０を生成するときの処理フロー図である。
【００５３】
まず、ステップ４０１において、目的地４０の候補となる複数の店舗について、各店舗までのルートと距離を算出する。なお、複数の店舗の位置情報は、ステップ１でメモリ８に取得した情報を利用する。
【００５４】
ステップ４０２において、上記ルートから各店舗の方向が分かるので、各店舗に対して両面ディスプレイ１０のどちらの表示面がＡ面（進行方向）でありＢ面（逆方向）となっているか判断する。
【００５５】
図８は、上記ステップ４０１及びステップ４０２による処理結果の一例として、各店舗の距離と、各店舗に対するＡ面とＢ面の向きを示したものである。例えば、図８に示す両面ディスプレイ１０の処理結果では、店舗１に対して２００ｍ離れており、Ａ面は進行方向に向いており、Ｂ面は進行方向と逆方向に向いていることを示している。
【００５６】
次に、ステップ４０３において、両面ディスプレイ１０毎に各店舗に対する優先度を設定する。ここでは、優先度設定シートを用いた優先度の設定方法を説明する。
【００５７】
図９は、各店舗の優先度を設定するための優先度設定シートである。この優先度設定シートでは、店舗毎に予め設定された基本点と、両面ディスプレイ１０と店舗との位置関係により規定の各得点が加算された総合得点によって優先度を設定している。
【００５８】
図９において、基本点は、両面ディスプレイ１０との位置関係とは別に、予め店舗毎に付与される点数であり、例えば、広告料等に応じて設定している。距離点は、両面ディスプレイ１０と店舗の距離が近いほど高得点になるように設定している。方向点は、両面ディスプレイ１０のＡ面とＢ面において、店舗の方向が進行方向となっている場合を逆方向の場合よりも高得点になるように設定している。
【００５９】
図９に示す総合得点が上記各得点を合計したものであり、この両面ディスプレイ１０においては、Ａ面に対して優先度の高い店舗が店舗１となり、Ｂ面に対して優先度の高い店舗が店舗２となる。この結果に基づき、両面ディスプレイ１０のＡ面には店舗１を目的地４０とする誘導情報２０を表示して、Ｂ面には店舗２を目的地４０とする誘導情報２０を表示する。これにより、１台の両面ディスプレイ１０を用いて、異なった店舗へ誘導することが可能となる。
【００６０】
また、他の設置場所にある両面ディスプレイ１０も連動して、複数の店舗に人を分散して誘導することができるため、特定の店舗に人が集中して混雑を招くことが解消され、複数の店舗に対して効率良く誘導することができる。
【００６１】
上記のように、本発明の両面ディスプレイを用いた誘導システムでは、複数の目的地４０に対し、優先時間帯や、両面ディスプレイ１０の向き、目的地４０までの距離等により優先度を設定して、目的地４０とその表示内容を変更することができるので、例えば、各店舗への誘導性を向上できるとともに、各店舗の要望に沿った効率的な案内を行うことができる。
【００６２】
なお、実施形態２では、通常時の誘導情報２０の生成方法を説明したが、非常時の誘導情報２０についても上記と同様に生成することができる。例えば、非常口毎に安全性を考慮して優先度を設定することにより、より安全に避難誘導を行うことができる。
【００６３】
以上、本発明の実施形態１、２について具体的に説明を行ったが、本発明はそれらに限定されるものではない。上述した２つの実施形態に開示された技術的手段を適宜組合せて得られる実施形態についても本発明の技術的範囲に含まれる。
【符号の説明】
【００６４】
１  筐体
２  第１表示部
３  第２表示部
４  回路基板
５  位置センサ
６  方位センサ
７  通信部
８  メモリ
９  制御部
１０  両面ディスプレイ
２０  誘導情報
３０  通行路
４０  目的地
【図１】
2014215662.tif 000003
【図２】
2014215662.tif 000004
【図３】
2014215662.tif 000005
【図４】
2014215662.tif 000006
【図５】
2014215662.tif 000007
【図６】
2014215662.tif 000008
【図７】
2014215662.tif 000009
【図８】
2014215662.tif 000010
【図９】
2014215662.tif 000011